(57)【要約】【目的】  本発明は、開き戸、引き出し、あるいは引き違い戸を有するオフィス家具の施錠システムに関するものであり、構造が簡単で、抽斗、開き戸、引き違い戸に同一仕様のシリンダー錠を使用できて、オフィス家具の仕様（引き違い戸、開き戸等）に関係なく、一つのグループ（部署、フロアー、事務所等）に一つのマスターキーで対応でき、キー管理が容易なオフィス家具の施錠システムを提供する事を課題とする。【構成】  引き出し、開き戸、引き違い戸に応じて錠前本体に施錠用操作片を取替自在となすことにより、少なくとも、引き出し施錠装置、開き戸施錠装置、引き違い戸施錠装置に同一仕様の錠前本体を使用したものである。【選択図】  図５
2006161462.tif 000002
【特許請求の範囲】
【請求項１】
抽斗、開き戸、引き違い戸に応じて錠前本体に施錠用操作片を取替自在となすことにより、少なくとも、抽斗施錠装置、開き戸施錠装置、引き違い戸施錠装置に同一仕様の錠前本体を使用した事を特徴とするオフィス家具の施錠システム。
【請求項２】
抽斗、開き戸、引き違い戸に応じて錠前本体に施錠用操作片を取替自在となすことにより、少なくとも、抽斗施錠装置、開き戸施錠装置、引き違い戸施錠装置に同一仕様の錠前本体を使用し、引き違い戸施錠装置は、前戸の閉鎖側端部に設けられた錠前本体に取付けられる施錠用操作片を、少なくとも一枚の戸の動きに応じて連動するリンク部材に係脱自在としたことを特徴とするオフィス家具の施錠システム。
【発明の詳細な説明】
【技術分野】
【０００１】
本発明は、抽斗、開き戸、あるいは引き違い戸を有するオフィス家具の施錠システムに関するものである。
【背景技術】
【０００２】
オフィス家具の施錠装置の錠前は、コスト及び取扱いの面からシリンダー錠が一般的に使用されている。
そして、シリンダー錠は、スプリング付きの複数個のタンブラーを内筒のなかに奥行き方向に配設し、このタンブラーのきざみにあったキーを使用することで内筒を回動し、内筒に連動する施錠片を家具本体等と係脱自在となし、抽斗、扉等を開施錠する構造となっている。
すなわち、内筒の奥行き寸法が長くなれば、タンブラーの数も多くする事が出来るので、鍵の組み合わせ数が多くなる（通常、タンブラー数が６本に対し３００通り）。
また、シリンダー錠をマスターキー仕様にすると、対応する抽斗、扉等を有するオフィス家具のシリンダー錠の開施錠を、一つのマスターキーで行うことができるので、使用者側でのキーの紛失等に対し、迅速に対応することが出来る。
【０００３】
しかしながら、オフィス家具のうち、抽斗、あるいは開き戸を有するものは、シリンダー錠の取付部の奥行き方向に障害物となるものがなく、比較的大きな空間を設定する事ができるので、組み合わせ数の多いシリンダー錠（奥行き寸法の長いシリンダー錠）を使用する事ができる（例えば、特許文献１参照。）が、引き違い戸の場合、戸の開放時には戸が重なり合うので、シリンダー錠が邪魔にならないよう、奥行き寸法が短いシリンダー錠を使用しなければならなかった。（例えば、特許文献２参照。）
このため、従来のオフィス家具では、抽斗及び開き戸を有する家具類のグループと、引き違い戸を有する家具類のグループとで、共通のシリンダー錠を使用することが出来ず、したがって、マスターキー仕様にする場合は、これらのグループ毎にマスターキーを用意する必要があった。
【０００４】
一方、オフィスでは使用者が、部署やフロアー等のグループ毎に、管理のためにオフィス家具のマスターキーを設定することがあるが、オフィス家具のグループが増えることによってマスターキーが増えると、それに比例して使用者が管理するマスターキーの数も増えることになっていた。
【０００５】
すなわち、従来、オフィス家具で、抽斗及び開き戸を有する家具類と、引き違い戸を有する家具類とで同一仕様のシリンダー錠が使用できないので、オフィス家具の製作者側及び使用者側の双方にとってキー管理（複数のマスターキーの管理）が煩雑となっていた。
【０００６】
【特許文献１】実公平７−２８３６６号公報
【特許文献２】特開平１０−２４６０４９号公報
【発明の開示】
【発明が解決しようとする課題】
【０００７】
本発明は、簡単な構造で、抽斗、開き戸、引き違い戸に同一仕様のシリンダー錠（組み合わせ数の多い、奥行き寸法の長いシリンダー錠）を使用する事ができ、オフィス家具の仕様（引き違い戸、開き戸等）に関係なく、一つのグループ（部署、フロアー等）に一つのマスターキーで対応でき、キー管理が容易なオフィス家具の施錠システムを提供する事を課題とする。
【課題を解決するための手段】
【０００８】
そこで、上記課題を解決する為、本発明が第１の手段として構成したところは、抽斗、開き戸、引き違い戸に応じて錠前本体に施錠用操作片を取替自在となすことにより、少なくとも、抽斗施錠装置、開き戸施錠装置、引き違い戸施錠装置に同一仕様の錠前本体を使用したものである。
【０００９】
次に、本発明が第２の手段として構成したところは、抽斗、開き戸、引き違い戸に応じて錠前本体に施錠用操作片を取替自在となすことにより、少なくとも、抽斗施錠装置、開き戸施錠装置、引き違い戸施錠装置に同一仕様の錠前本体を使用し、引き違い戸施錠装置は、前戸の閉鎖側端部に設けられた錠前本体に取付けられる施錠用操作片を、少なくとも一枚の戸の動きに応じて連動するリンク部材に係脱自在としたものである。
【発明の効果】
【００１０】
第１の手段として構成したところによると、錠前本体に施錠用操作片を抽斗、開き戸、引き違い戸に応じて取替自在となす事により、抽斗施錠装置、開き戸施錠装置、引き違い戸施錠装置に同一仕様の錠前本体が使用できるので、一つのグループのオフィス家具は、一つのマスターキーで開錠、施錠でき、キー管理が容易で、オフィス家具の使い勝手が格段に向上する。
【００１１】
第２の手段として構成したところによると、前戸の閉鎖側端部に設けられた錠前本体に取付けられる施錠用操作片を、少なくとも一枚の戸の動きに応じて連動するリンク部材に係脱自在となすことにより、抽斗、開き戸に使用される奥行き寸法の大きいシリンダー錠であっても、引き違い戸施錠装置に使用する事が出来るので、抽斗施錠装置、開き戸施錠装置、引き違い戸施錠装置に同一仕様の錠前本体が使用出来、抽斗、開き戸、引き違い戸を有する一つのグループのオフィス家具の開錠、施錠を一つのマスターキーで管理でき、オフィス家具の使い勝手が格段に向上する。
【発明を実施するための最良の形態】
【００１２】
本発明は、抽斗、開き戸、引き違い戸に応じて錠前本体に施錠用操作片を取替自在となすことにより、少なくとも、抽斗施錠装置、開き戸施錠装置、引き違い戸施錠装置に同一仕様の錠前本体を使用し、引き違い戸施錠装置は、前戸の閉鎖側端部に設けられた錠前本体に取付けられる施錠用操作片を、少なくとも一枚の戸の動きに応じて連動するリンク部材に係脱自在となしたものである。
【実施例】
【００１３】
以下、添付図面に基づいて実施例を説明する。
図１は、抽斗施錠装置（オールロック装置）２の施錠状態での要部断面図を示し、符号１はキャビネット本体を示し、符号１１はキャビネット本体１の上端に配設されたキャビネット天板を示し、符号１２はキャビネット天板１１の左右端部に配設された側板を示し、符号１３は側板１２の前端側内面に配設された側板補強材を示している。
【００１４】
抽斗施錠装置（オールロック装置）２は、キャビネット天板１１の前面板１１１に保持される錠前本体２１と、錠前本体２１の後端に位置し取替自在に内筒と連結されたコ字形の施錠用操作板２２と、前端が施錠用操作板２２の後端に嵌合し、前後端部をキャビネット天板１１の下面に配設された天板角補強材１１２と天板前補強材１１３間で回動自在に保持され、前後方向中央部に回動中心より偏心した偏心回動部２３を有する回動操作杆２４と、後端左右端部が天板前補強材１１３に嵌合支持され、前側中央部が前記回動操作杆２４の偏心回動部２３に嵌合し、左右端部に引き上げ突片２５、２５が形成された揺動横杆２６と、側板補強材１３に上下方向に昇降自在に保持され、抽斗（図示せず。）の胴板に設けられたロック用突起の前側に係脱自在となる係止突起が内面に形成され、上端後部の嵌合孔２８に引き上げ突片２５、２５が嵌合する施錠用縦杆２７より構成されている。
符号２０は、錠前本体２１をキャビネット天板１１に取付けるための取付金具を示している。
【００１５】
すなわち、図２の状態（開錠状態）の錠前本体２１にキーを差し込んで内筒を施錠方向に回動させると、内筒の回動と共に施錠用操作板２２、回動操作杆２４が共に回動する。
すると、回動操作杆２４の偏心回動部２３は回動中心より偏心しているので、回動しながら同時に上方に移動する事となる。
そして、揺動横杆２６は、前側中央部が前記回動操作杆２４の偏心回動部２３に嵌合し、後端左右端部が天板前補強材１１３に嵌合支持されているので、偏心回動部２３の上方移動に伴って、揺動横杆２６の前端側は上方向に揺動し、同時に引き上げ突片２５、２５も上方向に揺動することで、施錠用縦杆２７、２７を引上げ、係止突起が抽斗のロック用突起の前面位置し施錠状態となる。（図１示す状態。）
一方、上記施錠状態から、錠前本体２１にキーを差し込んで内筒を開錠方向に回動させると、施錠用操作板２２、回動操作杆２４の回動に伴って、自重で施錠用縦杆２７、２７は自重で下降し、係止突起が抽斗のロック用突起の前面から退避し、開錠状態となる。（図２示す状態。）
【００１６】
すなわち、従来は、抽斗のオールロック用の錠前本体２１の後面（内筒の後面）に回動操作杆２４の前端を嵌合していたが、次に説明する開き戸の施錠装置３、引き違い戸の施錠装置６にも同じ仕様の錠前本体２１を使用できるように施錠用操作板２２を連結ナット２００等にて取付けるようにしている。
すなわち、錠前本体２１の内筒に連動する、円周端面の一部を切り欠いた断面形状で内筒に連動し錠前本体２１の後方に突出させた螺軸２０１に、施錠用操作板２２に形成された螺軸の断面形状に一致する嵌合孔を嵌合し、さらに、螺軸２０１に連結ナット２００を螺合する事により、施錠用操作板２２を錠前本体２１に取替可能としている。
【００１７】
開き戸施錠装置３は、図３、図４に示す如く、キャビネット本体３１の前面開口部に開閉自在に設けられた開き戸３０のうち、施錠側開き戸３２の遊端側の所定位置に取付けられた錠前本体２１と、錠前本体２１の後端に位置し取替自在に内筒と連結されたＺ字形の施錠用操作板３３と、施錠用操作板３３の回動位置にともなって、回動可能状態と回動不能状態となるラッチ板４と、ラッチ板４の端部が連結される回動軸５と、回動軸５の上下端部に取付られた係止爪５１、５１と、係止爪５１、５１が係脱自在なキャビネット本体３１に設けられた係止ピン５２、５２より構成されている。
【００１８】
ラッチ板４は、施錠側開き戸３２に取付けられた把手３４の操作孔３５内に臨む操作部４１と、回動軸５と連結される連結部４２と、連結部４２の下端に一体に形成されたストッパー部４３より構成されている。
回動軸５は、施錠側開き戸３２に取付けられた回動保持部材５３、５３によって上下方向に渡って回動自在に保持され、一端がラッチ板４の連結部４２に係止され、他端がバネ取付座５４に係止された引っ張りバネ４０によって、係止爪５１、５１が係止ピン５２、５２に係止する方向に回動力が付与されている。
符号２０は、錠前本体２１を施錠側開き戸３２に取付けるための取付金具を示している。
【００１９】
すなわち、施錠側開き戸３２を閉じた状態で、錠前本体２１にキーを差し込んで内筒を施錠方向に回動させると、内筒の回動と共に施錠用操作板３３が回動し、施錠用操作板３３の端部がストッパー部４３の前面側に重合する。この状態で、把手３４の操作孔３５内に臨む操作部４１を指先で手前に引き寄せるようとすると、ストッパー部４３が施錠用操作板３３に当接するので操作部４１は動かず、したがって、回動軸５、係止爪５１、５１は回動せず、係止爪５１、５１と係止ピン５２、５２の係止状態が維持され、いわゆる施錠状態となる。（図３に示す状態。）
【００２０】
次に、図３に示す施錠状態から、錠前本体２１にキーを差し込んで内筒を開錠方向に回動させると、内筒の回動と共に施錠用操作板３３が回動し、施錠用操作板３３の端部がストッパー部４３の前面側から退避し開錠状態となる。（図４の仮想線で示す施錠用操作板３３の状態。）
この状態で、把手３４の操作孔３５内に臨む操作部４１を指先で、手前に引き寄せると、回動軸５、係止爪５１、５１は回動し、係止爪５１、５１と係止ピン５２、５２の係止状態がはずれ、同時に施錠側開き戸３２は開放される。
【００２１】
引き違い戸施錠装置６は、図５〜図８に示す如く、キャビネット本体６１の前面開口部に左右に移動自在に設けられた引き違い戸６０の前戸６２と、後戸６３間に配設されたリンク部材６４と、前戸６２の閉鎖側端部に取付けられた錠前本体２１と、錠前本体２１の後端に位置し取替自在に内筒と連結され、先端に鉤部６６１が形成された略Ｌ字形の施錠用操作板６６と、施錠用操作板６６の鉤部６６１が係止するリンク部材６４に取付けられた係止部材６７より構成されている。符号２０は、錠前本体２１を前戸６２に取付けるための取付金具を示している。
【００２２】
リンク部材６４は、後戸６３の開放側端部（図５で右側端部）に外方に突出して上下方向に渡って形成された前戸６２との隙間を閉塞する開放時戸当り受け部材６３１の下方部に、後戸６３側の端部が回動可能に連結され、前戸６２の閉鎖側端部裏面に上下方向に渡って配設された嵌合溝形成部材６８によって形成された嵌合溝６８１に回転自在に嵌合する嵌合ローラー６４０が、前戸６２側の端部に取付けられ、前戸６２と後戸６３の閉鎖状態で、後戸６３側端部から嵌合ローラー６４０側端部に向かって上方に傾斜する姿勢で、前戸６２と後戸６３間に配設されている。
そして、係止部材６７は、リンク部材６４の所定位置（前戸６２の閉鎖側端部に取付けられた錠前本体２１の上方位置）に後方に突出して取付られており、施錠用操作板６６の鉤部６６１が係脱自在となっている。
【００２３】
すなわち、前戸６２と後戸６３の閉鎖状態（図５に示す状態）から、前戸６２が開放方向（図５で左方向）に移動するか、あるいは、後戸６３が開放方向（図５で右側方向）に移動しようとすると、リンク部材６４の後戸６３側の端部が開放時戸当り受け部材６３１の下方部に回動可能に連結され、前戸６２側の端部は、嵌合ローラー６４０が嵌合溝６８１に嵌合して、後戸６３側端部から嵌合ローラー６４０側端部に向かって上方に傾斜しているので、リンク部材６４は、嵌合ローラー６４０が上方に移動する方向（リンク部材６４が起立する方向に）に回動しようとするが、リンク部材６４の係止部材６７に施錠用操作板６６の鉤部６６１が係合しているので、リンク部材６４の上記回動は阻止される。すなわち、前戸６２と後戸６３は施錠された状態となる。（図５、６、７に示す状態。）
【００２４】
一方、錠前本体２１にキーを差し込んで内筒を開錠方向に回動させると、内筒の回動と共に施錠用操作板６６が回動し、施錠用操作板６６の鉤部６６１と係止部材６７の係合状態が解除される（図７で仮想線で示す状態）ので、リンク部材６４は回動可能な状態、すなわち、前戸６２と後戸６３は開錠された状態となる。
又、図９に示すように、引き違い戸７０を前戸７１、中戸７２、後戸７３の３枚で構成する場合は、前戸７１の閉鎖側端部は、引き違い戸６０の前戸６２の閉鎖側端部と同形に形成され嵌合溝７１１を有し、これにリンク部材７４の第１嵌合ローラー７５を嵌合し、リンク部材７４の中程を中戸７２の閉鎖側端部に回動自在に連結し、リンク部材７４の後戸７３側端部に第１嵌合ローラー７５と同様の第２嵌合ローラー７６を設け、第２嵌合ローラー７６を後戸７３の閉鎖側端面の上下方向に形成した第２嵌合溝７３１に嵌合し、前戸７１、中戸７２、後戸７３の閉鎖状態で、第２嵌合ローラー７６から第１嵌合ローラー７５に向かって上方に傾斜するようリンク部材７４を配設する。
すなわち前戸７１とリンク部材７４の閉鎖側端部は、引き違い戸６０、７０の場合も同形に形成されているので、シリンダー錠本体２１、施錠用操作板６６、取付金具２０も同じものが使用できる。
【図面の簡単な説明】
【００２５】
【図１】抽斗施錠装置の施錠状態を示す要部断面図
【図２】抽斗施錠装置の開錠状態を示す要部断面図
【図３】開き戸施錠装置の施錠状態を示す要部断面図
【図４】開き戸施錠装置の施錠状態を示す要部裏面図
【図５】引き違い戸施錠装置の施錠状態を示す要部断面図
【図６】引き違い戸施錠装置の施錠状態を示す要部正面図
【図７】図５のＡ−Ａ線断面図
【図８】引き違い戸の開放状態を示す要部断面図
【図９】他の実施例の引き違い戸の開放状態を示す要部断面図
【符号の説明】
【００２６】
１                キャビネット本体
２                抽斗施錠装置
２１              錠前本体
２２              施錠用操作板
３                開き戸施錠装置
３０              開き戸
３３              施錠用操作板
５                回動軸
６                引き違い戸施錠装置
６０              引き違い戸
６４              リンク部材
６６              施錠用操作板
６７              係止部材
【図１】
2006161462.tif 000003
【図２】
2006161462.tif 000004
【図３】
2006161462.tif 000005
【図４】
2006161462.tif 000006
【図５】
2006161462.tif 000007
【図６】
2006161462.tif 000008
【図７】
2006161462.tif 000009
【図８】
2006161462.tif 000010
【図９】
2006161462.tif 000011